(57)【要約】【課題】  赤外線の反射方向を制御することで、熱効率がよく、快適な暖房を行うことができる輻射型ヒータを提供する。【解決手段】  輻射型ヒータ１のハウジング３に、赤外線を放射する熱源としてのハロゲンランプ６と、熱源からの赤外線をヒータ前方へ反射する反射鏡７と、直射光を遮るシェード８とを設ける。反射鏡７の回転放物面を基調とした自由曲面を縦横に分割し、上下左右複数の反射セル１５を形成する。ヒータ軸線Ａよりも上側の反射セル１５Ｕは、フィラメント１１の後端から光を略水平となるように反射する。ヒータ軸線Ａよりも下側の反射セル１５Ｄは、フィラメント１１の後端から光を略水平となるように反射する。これにより、複数の反射セル１５が全体として、ヒータ前方に垂直方向よりも水平方向に長い赤外線照射パターンを形成するとともに、この照射パターンの上縁に略水平なカットラインを形成する。【選択図】        図２
2013164228.tif 000002
【特許請求の範囲】
【請求項１】
赤外線を放射する熱源と、熱源からの赤外線をヒータ前方へ反射する反射鏡とを備え、反射鏡の反射面に反射光が下向きに傾斜する反射セルを左右に複数形成し、該反射セルが全体として垂直方向よりも水平方向に長い赤外線照射パターンを形成することを特徴とする輻射型ヒータ。
【請求項２】
前記反射セルが、赤外線照射パターンの上縁に水平方向に延びるカットラインを形成する請求項１記載の輻射型ヒータ。
【請求項３】
前記反射セルが、熱源を焦点とする回転放物面を基調とした自由曲面で構成されている請求項１または２記載の輻射型ヒータ。
【請求項４】
前記熱源が、ヒータ軸線上にフィラメントを備えたハロゲンランプである請求項１〜３の何れか一項に記載の輻射型ヒータ。
【請求項５】
前記ハロゲンランプの前方に、該ランプからの直射光を遮るシェードを設けた請求項４に記載の輻射型ヒータ。
【発明の詳細な説明】
【技術分野】
【０００１】
本発明は、赤外線の輻射熱を利用して暖房を行う輻射型ヒータに関する。
【背景技術】
【０００２】
従来、ハロゲンランプやカーボンヒータ等の熱源から放射された赤外線を反射鏡で反射する輻射型ヒータが知られている。例えば、図４（ａ）に示す従来の輻射型ヒータ５１は、ハウジング５２に放物面反射鏡５３を取り付け、ハロゲンランプ５４が放射した赤外線を放物面反射鏡５３でヒータ前方に反射し、図４（ｂ）に示すような円形の照射パターンＰを形成する。
【０００３】
なお、特許文献１には、凹形反射板を取り付けたハウジングを水平軸線と垂直軸線の周りで上下および左右に首振り可能に装備した電気ストーブが記載されている。
【先行技術文献】
【特許文献】
【０００４】
【特許文献１】特許第３８８６２２４号公報
【発明の概要】
【発明が解決しようとする課題】
【０００５】
ところが、従来の輻射型ヒータによると、次のような問題点があった。
（ａ）円形の赤外線照射パターンＰを形成するので、ヒータ軸線よりも上方の領域への放熱が無駄になる。
（ｂ）反射鏡５３をヒータ前方の人に向けると、輻射熱が顔面に当たり、熱く不快に感じる。
（ｃ）輻射熱がスポット状に分布するため、当たった部位は熱すぎ、当たっていない部位は寒すぎ、身体全体を均一に暖められない。
（ｄ）熱を拡散するために首振り構造を採用しているヒータは、高価なうえ、可動部が故障しやすい。
【０００６】
本発明の目的は、赤外線の反射方向を制御することで、熱効率がよく、快適な暖房を行うことができる輻射型ヒータを提供することにある。
【課題を解決するための手段】
【０００７】
上記課題を解決するために、本発明は次のような輻射型ヒータを提供する。
（１）赤外線を放射する熱源と、熱源からの赤外線をヒータ前方へ反射する反射鏡とを備え、反射鏡の反射面に反射光が下向きに傾斜する反射セルを左右に複数形成し、各反射セルが全体として垂直方向よりも水平方向に長い赤外線照射パターンを形成することを特徴とする。
【０００８】
（２）複数の反射セルが、赤外線照射パターンの上縁に水平なカットラインを形成することを特徴とする（１）に記載の輻射型ヒータ。
【０００９】
（３）反射セルが、熱源を焦点とする回転放物面を基調とした自由曲面で構成されていることを特徴とする（１）または（２）に記載の輻射型ヒータ。
【００１０】
（４）熱源が、ヒータ軸線上にフィラメントを備えたハロゲンランプであることを特徴とする（１）〜（３）の何れか一項に記載の輻射型ヒータ。
【００１１】
（５）ハロゲンランプの前方に、このランプからの直射光を遮るシェードを備えたことを特徴とする（４）に記載の輻射型ヒータ。
【発明の効果】
【００１２】
本発明の輻射型ヒータによれば、反射鏡の複数の反射セルが全体として垂直方向よりも水平方向に長い赤外線照射パターンを形成するので、上方への放熱量を相対的に減らし、左右両方への放熱量を相対的に増やし、熱効率がよく快適な暖房を行うことができるという効果がある。
【図面の簡単な説明】
【００１３】
【図１】本発明の一実施形態を示す輻射型ヒータの正面図である。
【図２】図１の輻射型ヒータの垂直断面図である。
【図３】図１の輻射型ヒータの作用説明図である。
【図４】従来の輻射型ヒータを示す概略図である。
【発明を実施するための形態】
【００１４】
以下、本発明の実施形態を図面に基づいて説明する。図１、図２に示す輻射型ヒータ１は、スタンド２の上端にハウジング３を備えている。スタンド２は伸縮自在に構成され、摘み４の操作によりハウジング３の高さを調節できるようになっている。また、別の摘み17の操作によりハウジング３を上下方向に首振り可能に構成してもよい。
【００１５】
ハウジング３の前面には防護カバー５が設けられ（図２参照）、ハウジング３の内側にハロゲンランプ６、反射鏡７、シェード８が配設されている。防護カバー５は、耐熱ガラスまたは金属製格子等によって形成され、ハウジング３に対し取り外し可能に装着されている。
【００１６】
ハロゲンランプ６は、赤外線を放射する熱源であって、口金部９と管球部１０とを備えている。管球部１０には、フィラメント１１が水平なヒータ軸線Ａ上に位置するように封入されている。シェード８は、管球部１０の直前でハロゲンランプ６からの直射光を遮り、ヒータ前方のユーザーに眩しさを与えないようになっている。
【００１７】
反射鏡７は、ハロゲンランプ６からの赤外線をヒータ前方へ反射する反射面１３を備えている。反射面１３は複数本のステップライン１４で縦横に分割され、反射面１３の上下左右に複数の反射セル１５が形成されている（図１参照）。
【００１８】
図３（ａ）に示すように、ヒータ軸線Ａよりも上側の反射セル１５Ｕは、フィラメント１１の後端を焦点とする回転放物面を基調とした自由曲面で構成されており、フィラメント１１の後端からの光を略水平となるように反射する。一方、ヒータ軸線Ａよりも下側の反射セル１５Ｄは、フィラメント１１の前端を焦点とする回転放物面を基調とした自由曲面で構成されており、フィラメント１１の前端からの光を略水平となるように反射する。
【００１９】
そして、図３（ｂ）に示すように、各反射セル１５が全体として、ヒータ前方に垂直方向（Ｖ−Ｖ）よりも水平方向（Ｈ−Ｈ）に長い赤外線照射パターンＰを形成するとともに、その照射パターンＰの上縁に略水平なカットラインＣを形成するようになっている。
【００２０】
従って、この実施形態の輻射型ヒータ１によれば、次のような作用効果が得られる。
（ａ）ヒータ前方に水平なカットラインＣを作ることで、ヒータ軸線Ａよりも上方への無駄な放熱をなくし、効率のよい暖房を行うことができる。
（ｂ）輻射熱をユーザーの顔面に当てず、顔面よりも下側の身体に当て、熱すぎず、快適な暖房を行うことができる。
（ｃ）赤外線照射パターンＰがカットラインＣの下方に水平方向へ長く形成されるので、ヒータ前方の広範囲を一様な熱分布で暖めることができる。
（ｄ）このため、首振り機構が不要になり、周期的に寒くならず、いつも暖かく、可動部品を減らし、故障しにくい構造とすることができる。
【００２１】
本発明は上記実施形態に限定されるものではなく、例えば、熱源としてセラミックヒータやカーボンヒータを用いたり、反射セルの形状や配列を変えたりするなど、本発明の趣旨を逸脱しない範囲で、各部の構成を適宜に変更して実施することも可能である。
【符号の説明】
【００２２】
１    輻射型ヒータ
６    ハロゲンランプ
７    反射鏡
８    シェード
１１    フィラメント
１３    反射面
１５    反射セル
Ａ    ヒータ軸線
Ｃ    カットライン
Ｐ    赤外線照射パターン
【図１】
2013164228.tif 000003
【図２】
2013164228.tif 000004
【図３】
2013164228.tif 000005
【図４】
2013164228.tif 000006